(57)【要約】      （修正有）【課題】載せる物件の位置を簡単に調節し、且つ簡単に定位させる伸縮調整定位装置を提供する。【解決手段】伸縮調整定位装置は、外カバー管、外カバー管内に納置して複数の軸方向に設置された定位孔１２４を具える伸縮管、外カバー管と伸縮管の外表面の交わる箇所の外側に嵌合するカバー台１、カバー台に嵌めて伸縮管の定位孔内に差し込む差込ピン３、カバー台上に設置して差込ピンを定位孔方向に動かす操作部品２を含む。そのうち前述の差込ピン端部には一傾斜案内面３ａを設置することにより、カバー台の予定した穿孔１２５内に差し込むことが容易である。その差込ピンの外側面には凸縁３１が設置され、バネは傾斜案内面を具えた差込ピンの一端に嵌合して凸縁を押さえ、操作部品は案内レール２０を設置して差込ピンを駆動して動かす。【選択図】図１
0003132059.tif 000002
【実用新案登録請求の範囲】
【請求項１】
外カバー管と、
外カバー管内に納置して複数の軸方向に設置された定位孔を具える伸縮管と、
外カバー管と伸縮管の外表面の交わる箇所の外側に嵌合するカバー台と、
カバー台に嵌めて伸縮管の定位孔内に差し込む差込ピンと、
カバー台上に設置して差込ピンを定位孔方向に動かす操作部品から構成された伸縮調整定位装置において、そのうち、
差込ピンは、カバー台の差込槽及び穿孔内に納置し、且つその外側面には凸縁を設置し、第一バネは差込ピン一端に嵌合し、凸縁と差込槽底面の間出押さえ、且つ第一バネの直径幅は穿孔より大きく、操作部品には案内レールを設置して差込ピンを穿孔及び伸縮管の低位な方向に動かすことを特徴とする伸縮調整定位装置。
【請求項２】
前記差込ピンは、傾斜案内面を具えた第一バネの端部に設置することを特徴とする請求項１記載の伸縮調整定位装置。
【請求項３】
前記差込ピンは、第一バネを設置する凸縁の別端に一第二バネを設置し、その第二バネは操作部品の案内レールに相互に停止設置することを特徴とする請求項２記載の伸縮調整定位装置。
【請求項４】
前記操作部品の案内レールは、第二バネと相互に合わさる表面を斜面とし、その斜面の両端には低い位置に第一押圧面を、高い位置に第二押圧面をそれぞれ連接することを特徴とする請求項３記載の伸縮調整定位装置。
【請求項５】
前記カバー台は、納置部内に環状凸部を設置し、その環状凸部内に定位孔を設置し、操作部品を固定し、また環状凸部の外周には案内槽を形成し、差込槽は案内槽と相互に連通し、且つ案内槽の予定位置には停止部品を設置することを特徴とする請求項４記載の伸縮調整定位装置。
【請求項６】
前記操作部品は、ネジ栓を設置し、そのネジ栓はネジ孔を具え、ネジをネジ栓のネジ孔に差し込んで操作部品をカバー台の納置部の定位孔に設置することを特徴とする請求項５記載の伸縮調整定位装置。
【請求項７】
前記操作部品は、案内レールの第一押圧面の単に終端部を具えることを特徴とする請求項６記載の伸縮調整定位装置。
【請求項８】
前記伸縮調整定位装置は、更に弾性を具えた支持部品を含み、その支持部品は伸縮管上に設置し、外カバー管と相互に停止設置することを特徴とする請求項１記載の伸縮調整定位装置。
【請求項９】
前記支持部品は、二固定脚を具え、二固定脚の間には凹部を形成し、伸縮管は停止部品の固定脚に相対し、支持孔を設置して納置することを特徴とする請求項８記載の伸縮調整定位装置。
【請求項１０】
前記支持部品は、外カバー管と相互に停止設置する表面が円弧形状の支持面とし、その支持面は凹槽に設置することを特徴とする請求項９記載の伸縮調整定位装置。
【考案の詳細な説明】
【技術分野】
【０００１】
本考案は、伸縮調整定位装置に関するもので、特に載せる物件の位置を簡単に調節し、且つ簡単に定位させることができるものである。
【背景技術】
【０００２】
使用者の要求に応じるため、いくつかの物件は、使用者の異なる状態の必要に基づき、異なる位置に調整できる。例として椅子のシート、背もたれ、もしくはデスクの高さ調整などは、使用者の最適な位置に調節して使用される。
【特許文献１】特開２００４−１４１６７６号公報
【考案の開示】
【考案が解決しようとする課題】
【０００３】
解決しようとする問題点は、前述の高低を調節する椅子シート、椅子背もたれ、もしくはデスクなどが、調節した位置にどのように固定するかである。デスクを例に取ると、無段式高度調整設計の場合、定位を確実にするのが困難で、特にデスクに載せた物件が重い場合（例としてＰＣの周辺設備）、たとえ気圧棒、もしくは支持桿で支持しても外れやすい。更に定位孔に差し込んで定位する場合、操作中のピンを差し込む定位孔の位置を探すのが困難という問題点がある。
【課題を解決するための手段】
【０００４】
本考案は、外カバー管、外カバー管内に納置して複数の軸方向に設置された定位孔を具える伸縮管、外カバー管と伸縮管の外表面の交わる箇所の外側に嵌合するカバー台、カバー台に嵌めて伸縮管の定位孔内に差し込む差込ピン、カバー台上に設置して差込ピンを定位孔方向に動かす操作部品を含む。そのうち前述の差込ピン端部には傾斜案内面を設置することにより、カバー台の予定した穿孔内に差し込むことが容易である。その差込ピンの外側面には凸縁が設置され、バネは傾斜案内面を具えた差込ピンの一端に嵌合し、凸縁を押さえ、操作部品は案内レールを設置して差込ピンを駆動して動かす。操作部品は始動前、差込ピンの傾斜案内面が定位孔表面の相互に接触する位置で制御されているが、伸縮管が高度位置を探す時、差込ピンのバネの弾性によって発生した伸縮作用により、使用者は適する定位孔位置を探して止めるのが容易であることを最も主要な特徴とする。
【考案の効果】
【０００５】
本考案の伸縮調整定位装置は、積載物件が伸縮管を伸ばして高度位置を調整する時、差込ピンの傾斜案内面が、定位孔から滑り出易くなり、バネの弾性によって伸縮作用が発生し、使用者が適する定位孔を探してロックしやすくするという利点がある。
【考案を実施するための最良の形態】
【０００６】
伸縮調整定位装置を提供し、それによって伸縮管上の一目標の定位孔の位置を探し、ロックしやすくすることを本考案の主な目的とする。
【０００７】
本考案の目的を達成するため、伸縮調整定位装置は、外カバー管、外カバー管内に納置して複数の軸方向に設置された定位孔を具える伸縮管、外カバー管と伸縮管の外表面の交わる箇所の外側に嵌合するカバー台、カバー台に嵌めて伸縮管の定位孔内に差し込む差込ピン、カバー台上に設置して差込ピンを定位孔方向に動かす操作部品を含む。そのうち、前述の操作部品は傾斜面を具えた案内レールを設置し、差込ピンを動かし、差込ピン端部には一傾斜案内面を設置しカバー台の予定の穿孔内に納置し、差込ピン外側面には一凸縁を設置し、バネを、傾斜案内面を具えた差込ピンの一端に嵌合し、凸縁に当て、別のバネは凸縁別端に設置し、操作部品の案内レールと相互に合わせる。
【０００８】
従来の技術と比較して、本考案の伸縮調整定位装置は、差込ピン端部の傾斜案内面の設計及び伸縮性を具えた弾性定位設計により、操作部品が動く前は差込ピンの傾斜案内面は伸縮管の定位孔の表面箇所に制御されており、積載物件が伸縮管を伸ばして高度位置を調整する時、差込ピンの傾斜案内面が、定位孔から滑り出易くなり、バネの弾性によって伸縮作用が発生し、使用者が適する定位孔を探してロックしやすくする。
【０００９】
図１及び図２に示すとおり、本考案は伸縮調整定位装置を提供し、それはカバー管８、前述の外カバー管８内に納置し、且つ軸方向に排列した複数の定位孔７１を設置した伸縮管７、前述の外カバー管８と伸縮管７の外表面交差箇所外側に被せるカバー台１、カバー台１及び外カバー管８に差し込んで伸縮管７の定位孔７１内で固定する差込ピン３、差込ピン３両端に設置する第一バネ４及び第二バネ５、及び前述のカバー台１上に設置して差込ピン３を動かし、定位孔７１向きに作動、固定定位させる操作部品２を含む。
【００１０】
カバー台１は中空管体で、図１に示すとおり、カバー体１ａ及びカバー環１ｂを具える。カバー体１ａを外カバー管８内に差し込んでカバー環１ｂを外に露出させるか、もしくは外カバー管８端部に設置して外カバー管８と一体成型する。カバー台１内側面には凸条１１を設置し、環部が伸縮管７表面を移動する時の摩擦を少なくする。カバー台１一側面には納置部１２を設置し、その納置部１２の内側凹み部には一環状凸部１２１を設置し、その環状凸部１２１内に定位孔１２４を成形し、そこに操作部品２を固定する。環状凸部１２１外側には案内槽１２２を成形し、そこに差込槽１２３が連通し、差込槽１２３の底面には蓋面を含む面積が差込槽１２３より小さい穿孔１２５を設置し、伸縮管７の定位孔７１と相互に通じ、差込槽１２３には差込ピン３及び第一、第二バネ４，５を納置し、案内槽１２２と相互に連通し、差込ピン１２３の相対端上に停止部品６を設置する。
【００１１】
操作部品２は、その内側面にネジ栓２４を設置し、そのネジ栓２４はネジ孔２５を具え、ネジ２３をネジ栓２４のネジ孔２５に差し込んで、操作部品２をカバー台１の納置部１２の定位孔１２４内に設置する。またネジ栓２４傍側には突出した案内レール２０を設置し、その案内レール２０の表面は傾斜面２１で、その両端は低い位置の第一押圧面２１１と高い位置の第二押圧面２１２に各々連接し、その第一及び第二押圧面２１１、２１２はどちらも平面とし、且つ第一押圧面２１１の端部には終端部２２を形成する。
【００１２】
差込ピン３は、その一端に傾斜案内面３ａを設置し、差込ピン３外側面に凸縁３１を成形する。凸縁３１によって差込ピン３は傾斜案内面３ａを具えた第一柱部３３、及び相対別端の第二柱部３２に分かれ、第一バネ４及び第二バネ５はそれぞれ第一柱部３３及び第二柱部３２上に嵌合する。また差込ピン３の直径は、カバー台１の穿孔１２５及び伸縮管７の定位孔７１の直径より小さく、また第一バネ４の直径４は、穿孔１２５の直径より大きい。
【００１３】
伸縮管７は、その一端を外カバー管８に差し込み、別端は積載物件を連接する。例として示すのは図５及び図６のデスク板９である。また図７及び図８に示すとおり、別に支持孔７３を設置し、伸縮弾性の支持部品７２を支持孔７３内に設置し、組立時には外カバー管８と相互に支え、伸縮管７が揺れるのを防ぐ。そのうち、支持部品７２は二固定脚７２１を具え、二固定脚７２１の間には凹部７２３が形成され、固定脚７２１は弾性で変形して支持孔７３内に組み入れる。この支持部品７２と外カバー管８が相互に当たる表面を円弧形の支持面７２２とし、その支持面７２２中間には凹槽７２４を開設する。
【００１４】
組立時、図３及び図４に示すとおり、先ず、第一及び第二バネ４，５を設置した差込ピン３を差込槽１２３内に納置し、その時第一バネ４が凸縁３１と差込槽１２３底面の間を押さえ、且つ傾斜案内面３ａを具えた差込ピン３端部は伸縮管７の定位孔７１表面箇所で制御される。第二バネ５は凸縁３１別端に設置し、操作部品２の案内レール２０と相互に接する。
【００１５】
操作部品２を始動する前、操作部品２の第一押圧面２１１は第二バネ５を押さえている。この時傾斜案内面３ａを具えた差込ピン３は定位孔７１内から僅かに突出し、即ち傾斜案内面３ａは定位孔７１表面箇所において制御される。ロックしたい時には操作部品２を回転する。この時案内レール２０は案内槽１２内で滑動し、斜面２１によって第二バネ５を押し、斜面２１に沿って第一押圧面２１１が第二押圧面２１２の方向へ第二バネ５を押し、それを変形させ、差込ピン３が定位孔７１内で動いてロックする。この時、操作部品２の終端部２２は停止部品６に押さえられ、回転動作が極限に達する。
【００１６】
操作者は開始前、積載物件（図はデスク板９）をどの高度で定位するか決めておらず、一定位孔７１を探す場合、デスク板９を引くだけで伸縮管７が牽引され、第一バネ４の弾性回復力によって差込ピン３の伸縮性が発生し、差込ピン３の傾斜案内面３ａが定位孔７１から簡単に滑り出る設計により、一定位孔７１から弾き出る作用が発生し、目標の定位孔位置を探して止めるのに便利であり、操作部品２が勝手に回転してしまうことがない。
【００１７】
図５及び図６に示すのは、本考案の伸縮調整定位装置をデスク板に運用した指示図であり、そのうちデスク板９の主体は主に気圧棒９１及び本考案の伸縮調整定位装置によって支持される。このようにして始動スイッチ９２を動かすと、気圧棒９１の作動によってデスク板９を異なる高低に調整した後、本考案の伸縮調整定位装置の定位調整により、デスク板９の高低調節を容易にする。
【図面の簡単な説明】
【００１８】
【図１】本考案の立体分解図である。
【図２】本考案の組立指示図である。
【図３】本考案の始動前の局部断面指示図である。
【図４】本考案のロック後の局部断面指示図である。
【図５】本考案をデスクに運用した一実施例の指示図である。
【図６】図５で示した実施例を調整する時の動作指示図である。
【図７】本考案の組立後の局部断面指示図で、外カバー管と伸縮管の組立状況である。
【図８】図７の実施例の局部立体指示図である。
【符号の説明】
【００１９】
１        カバー台
１ａ      カバー体
１ｂ      カバー環
１１        凸条
１２        納置部
１２１        環状凸部
１２２        案内槽
１２３        差込槽
１２４        定位孔
１２５        穿孔
２        操作部品
２０        案内レール
２１        傾斜面
２１１        第一押圧面
２１２        第二押圧面
２２        終端部
２３        ネジ
２４        ネジ栓
２５        ネジ孔
３        差込ピン
３ａ      差込傾斜案内面
３１        凸縁
３２        第二柱部
３３        第一柱部
４        第一バネ
５        第二バネ
６        停止部品
７        伸縮管
７１        定位孔
７２        支持部品
７２１        固定脚
７２２        支持面
７２３        凹部
７２４        凹槽
７３        支持孔
８        外カバー管
９        デスク板
９１        気圧棒
９２        始動スイッチ
【図１】
0003132059.tif 000003
【図２】
0003132059.tif 000004
【図３】
0003132059.tif 000005
【図４】
0003132059.tif 000006
【図５】
0003132059.tif 000007
【図６】
0003132059.tif 000008
【図７】
0003132059.tif 000009
【図８】
0003132059.tif 000010